(57)【要約】  【課題】粘着剤の使用することなく書類を確実に綴着でき、且つ、書類のリサイクルを容易にする。  【解決手段】凸形状の紙製ステープル９の狭幅部である上半部１４に、掛止片切起し用の切込線１７，１７を設ける一方、広幅部である下半部１５に掛合孔１９を開穿する。クリンチ装置２６は、紙製ステープル９側に進退動可能かつ回動可能に設けられたクリンチャ本体２７と、上半部１４の湾曲部分を押し上げる昇降可能な押し込み部材３０とを備え、クリンチャ本体２７の側面には、上半部１４を挟んで略Ｕ字状に湾曲させる湾曲形成部材２８，２９が延設されている。【選択図】  図５
2007190751.tif 000002
【特許請求の範囲】
【請求項１】
書類を綴着するための紙製ステープルであって、該紙製ステープルは略凸形状に形成されていると共に、該紙製ステープルの上半部には掛止片切起し用の切込線が設けられ、且つ、下半部には前記上半部の挿入を許容する横長の掛合孔が開穿されて成ることを特徴とする紙製ステープル。
【請求項２】
請求項１記載の紙製ステープルを用いて書類を綴着する書類綴じ装置であって、
該書類の端部で紙製ステープルの中間部を押して該中間部が挿入されるスリット部を有し、該紙製ステープルの上半部、下半部が夫々該書類の端部の表面側、裏面側に位置するようにセットされるステープルセット部材と、
該セットされた紙製ステープルの下半部及び書類を下側から打ち抜く刃先部と、該刃先部の下部側に形成されたステープル用係止孔とを有し、打ち抜き後に該係止孔に前記紙製ステープルの上半部を係止して該紙製ステープルの下半部下側に引き抜くための打ち抜き部材と、
該引き抜かれた紙製ステープルの上半部を挟んだまま該上半部を略Ｕ字状に湾曲させる移動可能な一対の湾曲形成部材と、該湾曲した紙製ステープルの上半部を押し上げる押し込み部材を有するクリンチャ装置とを備え、
前記湾曲時に上記上半部の切込線に沿って掛止片を切り起こした後、該掛止片を前記下半部の打ち抜き縁部下面に掛止させ、且つ、該上半部の先端部を該下半部の掛合孔縁部上面に掛止させるように構成したことを特徴とする書類綴じ装置。
【請求項３】
請求項１記載の紙製ステープル及び請求項２記載の書類綴じ装置を用いた書類綴じ方法であって、
上記紙製ステープルを上記ステープルセット部材の前方に配置し、上記書類の端部で該紙製ステープルの中間部を前記スリット部の中に押し込んで、紙製ステープルの上半部及び下半部が書類の端部表面側及び端部裏面側にそれぞれ位置するようにセットする工程と、
該セットされた紙製ステープルの下半部及び書類を下側から打ち抜き部材の刃先部で打ち抜いた後に、該刃先部の下部側に設けられている係止孔に前記紙製ステープルの上半部を係止させて、該上半部を紙製ステープルの下半部の下方側に引き抜く工程と、
該引き抜かれた紙製ステープルの上半部を一対の湾曲形成部材の間に挟んで、該一対の湾曲形成部材を略Ｕ字状に湾曲させることにより、該上半部の先端部を前記上半部の掛合孔に挿入すると共に、該上半部に設けられている切込線に沿って掛止片を切り起こす工程と、
前記湾曲した紙製ステープルの上半部を押し込み部材で押し上げることにより、前記掛止片を前記下半部の打ち抜き孔縁部下面に掛止させ、且つ、該上半部先端部を該下半部の掛合孔縁部上面に掛止させる工程とを有し、
上記各工程を実行することにより、前記紙製ステープルによって書類を綴着することができるようにしたことを特徴とする書類綴じ方法。
【発明の詳細な説明】
【技術分野】
【０００１】
本発明は、紙製ステープル、書類綴じ装置及び書類綴じ方法に関するものであり、特に、紙製ステープルの上半部を書類に打ち込んで書類を綴じるようにした紙製ステープル、書類綴じ装置及び書類綴じ方法に関するものである。
【背景技術】
【０００２】
従来、ステープル（針）は金属製であるため、金属製ステープルで綴じた書類をシュレッダーで裁断する際に、書類にステープルを付けたままの状態で裁断処理すると、シュレッダーの刃を傷める可能性がある。また、地球環境保全等に対する意識の向上から、オフィスなどから出る廃棄書類をリサイクルする活動が広まっており、廃棄時に書類と針を分別するために、除針するユーザーの数が増加している。
【０００３】
たとえば、専用リムーバ等を使用すれば容易に除針することができるが、ステープルに付属した専用リムーバでは一度に取ることが難しく、除針作業に大きな手間を要する。又、金属製のステープルはその先端部分が鋭利であるため、作業の際に、ステープルの取り扱いに相当な注意を要する。
【０００４】
そこで、ステープルを紙材より作製し、この紙製ステープルを書類に貫通させて綴じる装置が一部開発されている。この装置は、書類の所望箇所に溝状の打ち抜き穴を開ける手段と、該打ち抜き穴に粘着テープを送って所定箇所で切断する手段とを備え、該粘着テープの両端側部分を書類の表裏両面側に貼り付けて綴じるように構成されている（特許文献１参照）。
【特許文献１】特開２００４−３４６４０号公報
【発明の開示】
【発明が解決しようとする課題】
【０００５】
特許文献１記載の従来技術によれば、粘着剤を用いて紙製ステープルを貼り付けているので、紙製ステープルを取り外す必要が生じた際に、紙製ステープルの取り外しが面倒であるという問題があった。また、粘着剤は強い接着力を有するので、書類のリサイクル作業時に強い接着力が支障となって、紙資材のリサイクル作業を効率よく行えないという欠点があった。
【０００６】
そこで、粘着剤を使うことなく書類を良好に綴じることができ、且つ、書類のリサイクルを支障なく行えるようにするために解決すべき技術的課題が生じてくるのであり、本発明はその課題を解決することを目的とするものである。
【課題を解決するための手段】
【０００７】
本発明は上記目的を達成するために提案されたものであり、請求項１記載の発明は、書類を綴着するための紙製ステープルであって、該紙製ステープルは略凸形状に形成されていると共に、該紙製ステープルの上半部には掛止片切起し用の切込線が設けられ、且つ、下半部には上記上半部の挿入を許容する横長の掛合孔が開穿されて成る紙製ステープルを提供する。
【０００８】
この構成によれば、紙製ステープルの上半部を書類の端部表面側（上面側）に配置すると共に、紙製ステープルの下半部を書類の端部裏面側（下面側）に配置し、上半部を書類及び下半部に貫通孔を形成して打ち込む。このあと、上半部を略Ｕ字状に湾曲させることにより、上半部の先端部を下半部の掛合孔に挿入すると共に、上半部の切込線に沿って掛止片を切り起こす。この掛止片は湾曲方向と反対側に突出して、下半部の貫通孔の縁部下面に近接する。
【０００９】
この後、上半部の湾曲部を下半部の下面側に押し上げると、上半部の先端部が下半部の掛合孔縁部に掛止されると共に、前記掛止片が貫通孔縁部に掛止される。これにより、上半部の先端部、掛止片はそれぞれ下半部の掛合孔縁部の上面、貫通孔縁部の下面に弾接する。
【００１０】
請求項２の発明は、請求項１記載の紙製ステープルを用いて書類を綴着する書類綴じ装置であって、該書類の端部で紙製ステープルの中間部を押して該中間部が挿入されるスリット部を有し、該紙製ステープルの上半部、下半部が夫々該書類の端部の表面側、裏面側に位置するようにセットされるステープルセット部材と、該セットされた紙製ステープルの下半部及び書類を下側から打ち抜く刃先部と、該刃先部の下部側に形成されたステープル用係止孔とを有し、打ち抜き後に該係止孔に前記紙製ステープルの上半部を係止して該紙製ステープルの下半部下側に引き抜くための打ち抜き部材と、該引き抜かれた紙製ステープルの上半部を挟んだまま該上半部を略Ｕ字状に湾曲させる移動可能な一対の湾曲形成部材と、該湾曲した紙製ステープルの上半部を押し上げる押し込み部材を有するクリンチャ装置とを備え、前記湾曲時に上記上半部の切込線に沿って掛止片を切り起こした後、該掛止片を前記下半部の打ち抜き縁部下面に掛止させ、且つ、該上半部の先端部を該下半部の掛合孔縁部上面に掛止させるように構成して成る書類綴じ装置を提供する。
【００１１】
この構成によれば、まず、ステープルセット部材のスリット部の前方近傍に紙製ステープルを配置し、該紙製ステープルの中間部を書類の端部でスリット部側に押して、書類の端部と紙製ステープルの中間部とをスリット部の中に挿入する。これにより、該紙製ステープルの上半部、下半部が夫々該書類の端部の表面側、裏面側に位置するように略コ字形（略Ｕ字形を含む）に折曲した状態にセットされる。
【００１２】
次に、打ち抜き部材を上昇させて、打ち抜き部材の刃先部で紙製ステープルの下半部及び書類を下側から打ち抜いて貫通孔を形成すると共に、刃先部の下部側の係止孔に上半部を係止させる。この後、打ち抜き部材を下降させると、打ち抜き部材と共に紙製ステープルの上半部が書類及び下半部の貫通孔を通過し、下半部の下面側に引き抜かれて垂下する。
【００１３】
続いて、引き抜かれた紙製ステープルの上半部側にクリンチャ装置の一対の湾曲形成部材を前進させて、上半部を一対の湾曲形成部材の間に挟持し、一方（掛合孔に近い方）の湾曲形成部材を他方の湾曲形成部材のまわりに回動させる。このことにより、上半部を掛合孔側に略Ｕ字状に湾曲変形させて、上半部の先端部を下半部の掛合孔に差し込むと共に、上半部の切込線に沿って掛止片を切り起こして、該掛止片を下半部の貫通孔縁部下面に近接させる。
【００１４】
次に、一対の湾曲形成部材を紙製ステープルの上半部から離反させた後に、押し込み部材を上昇させて、上半部の略Ｕ字状湾曲部を押し上げる。これにより、上半部の先端部が掛合孔の縁部上面に弾接状態で掛止すると共に、前記掛止片が貫通孔の縁部下面に弾接状態で掛止する。
【００１５】
請求項３の発明は、請求項１記載の紙製ステープル及び請求項２記載の書類綴じ装置を用いた書類綴じ方法であって、上記紙製ステープルを上記ステープルセット部材の前方に配置し、上記書類の端部で該紙製ステープルの中間部を前記スリット部の中に押し込んで、紙製ステープルの上半部及び下半部が書類の端部表面側及び端部裏面側にそれぞれ位置するようにセットする工程と、該セットされた紙製ステープルの下半部及び書類を下側から打ち抜き部材の刃先部で打ち抜いた後に、該刃先部の下部側に設けられている係止孔に前記紙製ステープルの上半部を係止させて、該上半部を紙製ステープルの下半部の下方側に引き抜く工程と、該引き抜かれた紙製ステープルの上半部を一対の湾曲形成部材の間に挟んで、該一対の湾曲形成部材を略Ｕ字状に湾曲させることにより、該上半部の先端部を前記上半部の掛合孔に挿入すると共に、該上半部に設けられている切込線に沿って掛止片を切り起こす工程と、前記湾曲した紙製ステープルの上半部を押し込み部材で押し上げることにより、前記掛止片を前記下半部の打ち抜き孔縁部下面に掛止させ、且つ、該上半部先端部を該下半部の掛合孔縁部上面に掛止させる工程とを有し、上記各工程を実行することにより、前記紙製ステープルによって書類を綴着することができるようにした書類綴じ方法を提供する。
【００１６】
この構成によれば、スリット部の前方近傍に紙製ステープルを配置し、紙製ステープルの中間部を書類の端部で押して、書類の端部と紙製ステープルの中間部とをスリット部の中に挿入する。これにより、紙製ステープルの上半部が書類の端部表面側に位置するようにセットされる。  次に、打ち抜き部材の刃先部で紙製ステープルの下半部及び書類を下側から打ち抜いて貫通孔を形成し、刃先部の下部側の係止孔に上半部を係止させる。この後、打ち抜き部材を下降させると、該上半部が書類及び下半部の貫通孔を通過して下半部の下面側に引き抜かれる。
【００１７】
続いて、クリンチャ装置の一対の湾曲形成部材を前進させて、一対の湾曲形成部材の間に上半部を挟持し、一方（掛合孔に近い方）の湾曲形成部材を他方の湾曲形成部材のまわりに回動させることにより、上半部を略Ｕ字状に湾曲させて、上半部の先端部を下半部の掛合孔に差し込むと共に、前記切込線に沿って掛止片を切り起こして貫通孔縁部下面に近接させる。
【００１８】
次に、一対の湾曲形成部材を退避させた後に、押し込み部材を上昇させて上半部の湾曲部を押し上げる。これにより、上半部の先端部が掛合孔の縁部上面に弾接状態で掛止すると共に、前記掛止片が貫通孔の縁部下面に弾接する。斯くして、紙製ステープルの上半部が湾曲状から略平坦状に形状復帰した状態で、紙製ステープルの上半部の先端部、掛止片がそれぞれ紙製ステープルの下半部の掛合孔縁部上面、貫通孔縁部下面に互いに反対方向から弾接して掛止される。
【発明の効果】
【００１９】
請求項１記載の発明は、紙製ステープルの上半部を書類及び下半部に打ち込んだ後、該上半部の先端部、掛止片をそれぞれ下半部の掛合孔縁部部上面、貫通孔縁部下面に弾接状態で掛止固定するので、粘着剤を使用することなく、書類を強固に安定して綴着することができる。又、書類をリサイクルする際は、書類から紙製ステープルを取り外すことなく、シュレッダーにより裁断することができるので、紙資源のリサイクル作業を容易迅速に行うことができる。更に、必要時には、紙製ステープルを書類から簡単に取り外すことができる。
【００２０】
請求項２記載の発明は、湾曲形成部材で紙製ステープルの上半部を挟んだまま掛合孔側に湾曲させることにより、上半部の先端部、掛止片がそれぞれ掛合孔の縁部上面、貫通孔の縁部下面に弾接状態で掛止されるので、粘着剤を使うことなく、紙製ステープルを確実・強固にクリンチして書類を綴じることができ、しかも、本発明の書類綴じ装置は構成が簡単であり、安価に量産化することができる。
【００２１】
請求項３記載の発明は、書類の端部に紙製ステープルを半巻き状態にした後、紙製ステープルの上半部の先端部、掛止片をそれぞれ下半部の掛合孔縁部上面、貫通孔縁部下面に互いに反対方向から弾接状態で掛止させることにより、紙製ステープルを強固にクリンチすることができるので、粘着剤を使用せずに書類を確実に綴着でき、且つ、紙資材のリサイクルを容易に行える新規な書類綴じ方法が得られる。
【発明を実施するための最良の形態】
【００２２】
本発明は、粘着剤を使用せずに書類を確実に綴着でき、且つ、書類のリサイクル作業を容易迅速に行えるという目的を、書類を綴着するための紙製ステープルであって、該紙製ステープルは略凸形状に形成されていると共に、該紙製ステープルの上半部には掛止片切起し用の切込線が設けられ、且つ、下半部には上記上半部の挿入を許容する横長の掛合孔が開穿されて成る紙製ステープルを使用して達成するものである。
【００２３】
本発明による書類綴じ方法は、上記紙製ステープルを上記ステープルセット部材の前方に配置し、上記書類の端部で該紙製ステープルの中間部を前記スリット部の中に押し込んで、該紙製ステープルの上半部、下半部が夫々書類の端部表面側、端部裏面側に位置するようにセットする工程と、該セットされた紙製ステープルの下半部及び書類を下側から打ち抜き部材の刃先部で打ち抜いた後に、該刃先部の下部側の係止孔に前記紙製ステープルの上半部を係止させて、該上半部を紙製ステープルの下半部の下方側に引き抜く工程と、該引き抜かれた紙製ステープルの上半部を一対の湾曲形成部材の間に挟んで、該一対の湾曲形成部材を略Ｕ字状に湾曲させることにより、該上半部の先端部を前記上半部の掛合孔に挿入すると共に、該上半部の切込線に沿って掛止片を切り起こす工程と、該湾曲した紙製ステープルの上半部を押し込み部材で押し上げることにより、前記掛止片を前記下半部の打ち抜き孔縁部下面に掛止させ、且つ、該上半部先端部を該下半部の掛合孔縁部上面に掛止させる工程とを備えることにより、上記目的を達成した。
【実施例】
【００２４】
以下、本発明の好適な一実施例について、図１乃至図１７を参照しつつ説明する。本実施例では、断面略コ字形のスリット部２３を前面に有するステープルセット部材２１の前方に、ステープル用係止孔２５を有する打ち抜き部材２２を昇降可能に設けて成る打ち抜き機２０を使用し、紙製ステープル９の上半部１４を書類Ｐ及び下半部１５に引き抜いて貫通させることにより、下半部１５の裏面側に上半部１４を垂下させる。
【００２５】
そして、クリンチの際は、湾曲形成部材２８，２９の間に上半部１４を挟んで、その状態のままで、湾曲形成部材２８，２９を掛合孔１９側に反転移動させて、上半部１４を略Ｕ字状に湾曲させることで、上半部１４の先端部が掛合孔１９に差し込まれる。ついで、湾曲形成部材２８，２９を上半部１４から離反させた後、押し込み部材３０で上半部１４の湾曲部を押し上げると、切込線１７，１７に沿って掛止片１８，１８が切り起こされて貫通孔１１縁部に掛止し、上半部１４の先端部が掛合孔１９縁部に掛止する。斯くして、湾曲状の上半部１４が略平坦状に形状復帰して、掛止片１８，１８、上半部１４がそれぞれ貫通孔１１の縁部下面、掛合孔９の縁部上面に弾接してクリンチされる。
【００２６】
尚、本実施例では、ステープル打ち込み動作等に関連して所定のタイミングで、ステープルの順送り、切断、ステープル引き抜き及びクリンチ等を行うべく、各可動部材の移動駆動機構、回転駆動機構、昇降駆動機構など（図示省略）が設けられているが、これらの駆動方式としてはカム、リンク、スプリング、電磁石等による駆動方式を適宜採択することができる。
【００２７】
図１は、紙製ステープル用書類綴じ装置１の全体構成を示すブロック図である。該書類綴じ装置１は、紙材から成るステープルシート８が収納されたシート収納部２と、該ステープルシート８を一定ピッチで順送りする移送部３と、該順送りされたステープルシート８を打ち込み可能な帯状の紙製ステープル９に切断する剪断部４と、紙製ステープル９の一側部を書類Ｐに貫通させる打ち込み部５と、該紙製ステープル９をクリンチするクリンチャ部６とから概略構成されている
シート収納部２には、所定枚数のステープルシート８が一例として積層して収納され、ステープルシート８は、移送部３により剪断部４側に所定ステップずつ順送りされる。なお、長尺状のステープルシート８をロール状に巻回したものを順送りしても良い。ステープルシート８としては、図２に示すように、互いに縦方向に上下隣接する紙製ステープル９同士を細幅部１２を介して連設したもの、或いは、図３に示すように、互いに横方向に左右隣接する紙製ステープル９同士を細幅部１２を介して連設したものを使用してもよい。図４に示すように、紙製ステープル９同士は細幅部を介さずに直接連設しても良いが、該連設部分にはミシン目１３又は切込線などを形成することが好ましい。
【００２８】
剪断部４は、図示を省略するが、ステープルシート８が載置される切断台と、該切断台前端側の上方位置に昇降可能に配設した剪断刃とを備え、剪断刃により、ステープルシート８の連設部分を切断分離して、所定サイズの紙製ステープル９が得られる。この紙製ステープル９は、図外のガイド部材を介して、打ち込み部５に打ち込み可能な起立状態に送られ、後述の打ち込み機２０により書類Ｐに打ち込まれる。
【００２９】
ここで、紙製ステープル９は略凸形状であって、図５に示すように、幅狭部である上半部１４と、幅広部である下半部１５と、上半部１４と下半部１５間に設けた台形状の中間部１６とから成る。上半部１４の所定箇所には、縦長の略Ｕ字状切込線１７，１７が左右に２つ並んで設けられ、上半部１４を略Ｕ字状に湾曲することにより、図６に示すように、切込線１７，１７に沿って略Ｕ字状の掛止片１８，１８が切り起こされる。
【００３０】
又、紙製ステープル９の下半部１５には、横方向に長い方形の掛合孔（角窓）１９が開穿されている。掛合孔１９の左右幅は、紙製ステープル９の上半部１４の先端部の左右幅よりも若干大に設定されている。従って、紙製ステープル９の上半部１４を書類Ｐと下半部１５に貫通させたあと、上半部１４を掛合孔１９側に湾曲させることにより、上半部１４の先端部が掛合孔１９に差し込まれる。
【００３１】
打ち込み部６は打ち込み機２０を備えており、この打ち込み機２０は、図７に示すように、前面には縦断面コ字形のスリット部２３が横方向に形成された縦長のステープルセット部材２１と、該ステープルセット部材２１の前方に昇降可能に配設された打ち抜き部材２２とから成る。スリット部２３の上下幅及び深さは、紙製ステープル９を略Ｕ字状に折り曲げた時の厚さと書類Ｐの厚さとを合計した寸法よりも大に設定されている。このため、紙製ステープル９の中間部１６を書類Ｐの端部でスリット部２３側に押して折り曲げると、図８に示すように、前記折り曲げ端部と書類Ｐの端部とがスリット部２３内に挿入状態に保持される。
【００３２】
打ち抜き部材２２は、上端部に略Ｖ状の刃先部２４を有すると共に、刃先部２４の下部側には角形の係止孔２５が形成されている。この打ち抜き部材２２の上昇により、刃先部２４が紙製ステープル９の下半部１５と書類Ｐとを打ち抜いて、図９に示すように、下半部１５、書類Ｐに貫通孔１０、貫通孔１１を順次開穿する。
【００３３】
この後に、打ち抜き部材２２が上昇端に達する途中で、打ち抜き部材２２の係止孔２５の中に紙製ステープル９の上半部１４が引っ掛かり係止される。そして、打ち抜き部材２２が下降すると、紙製ステープル９の上半部１４が貫通孔１１、貫通孔１０を順次に通過して、紙製ステープル９の下半部１５の下面側に到達する（図１１、図１２参照）。
【００３４】
打ち込み部５の近傍にはクリンチャ部６が設けられ、クリンチャ部６を構成するクリンチャ装置２６は、打込み状態の上半部１４に対して接近離反可能に設けられた略直方体状のクリンチャ本体２７を有し、該クリンチャ本体２７の一側面には一対の湾曲形成部材２８，２９が設けられている。該一対の湾曲形成部材２８，２９よりも下側には押し込み部材３０が昇降可能に設けられ、押し込み部材３０は紙製ステープル９の真下に位置している。クリンチャ本体２７は、湾曲形成部材２９を中心軸として回動できるように構成されている。
【００３５】
一対の湾曲形成部材２８，２９の長さは、紙製ステープル９の上半部１４の左右幅（図５中のW方向の寸法幅)よりも大に設定されている。図示例では、一対の湾曲形成部材２８，２９は略円形断面に形成しているが、一対の該湾曲形成部材２８，２９の双方又は一方の断面形状は、他の適宜形状に形成することもできる。湾曲形成部材２８、湾曲形成部材２９はそれぞれ、垂下状態の上半部１４の一側、他側に配置されるように配設されている（図１３参照）。
【００３６】
クリンチャ本体２７を紙製ステープル９側に前進させることにより、一対の湾曲形成部材２８，２９の間に紙製ステープル９の上半部１４が挟まれる。このあと、一方の湾曲形成部材２８を他方の湾曲形成部材２９の回りに回動させることにより、上半部１４が略Ｕ字状に湾曲変形して、上半部１４の先端部が前記掛合孔１９に差し込まれる。この時、切込線１７，１７に沿って掛止片１８，１８が切り起こされ、掛止片１８，１８は下半部１５の貫通孔１０の縁部下面に近接（当接を含む）する。
【００３７】
押し込み部材３０は、紙製ステープル９の上半部１４先端部を掛合孔１９に差し込んだ状態で、クリンチャ本体２７を元の位置に退避させた後、上半部１４の湾曲部を押し上げるべく上昇駆動される。これにより、上半部１４の先端部を掛合孔１９の縁部上面に掛止させると共に、掛止片１８，１８を貫通孔１１の縁部下面に掛止させる。
【００３８】
次に、書類Ｐを紙製ステープル９で綴じる場合について、図７乃至図１５を参照しながら詳述する。先ず、ステープルセット部材２２の前面側に紙製ステープル９をセットするが、この場合、紙製ステープル９の上半部１４が書類Ｐの上面側（表面側）に位置するようにセットする（図７）。
【００３９】
而して、紙製ステープル９の中間部１６の前側面（ステープルセット部材２１と反対側の面）に書類Ｐの一端部を押し当てて、紙製ステープル９ごと書類Ｐをスリット部２３の中に押し込み、紙製ステープル９を書類Ｐの一端に略Ｕ字状の半回状態に巻き付け、紙製ステープル９の上半部１４、下半部１５を書類Ｐの表面、裏面に対面させる（図８）。
【００４０】
このあと、紙製ステープル９の下半部１５を、その下方側から打ち抜き部材２２を上昇させることにより、紙製ステープル９の下半部１５と書類Ｐを串刺し状に打ち抜いて、下半部１５、書類Ｐにそれぞれ貫通孔１０、貫通孔１１を順次形成する（図９）。
【００４１】
この後、刃先部２４の更なる上昇に伴い、紙製ステープル９の上半部１４が刃先部２４の側面に当たって上方に湾曲するが、上半部１４の上端部に打ち抜き部材２２の係止孔２５が到達すると、係止孔２５の中に上半部１４が入り込んで、上半部１４が書類Ｐの表面に対面する（図１０）。
【００４２】
そして、紙製ステープル９の上半部１４の上端部が係止孔２５の中に入り込んだ状態のまま、打ち抜き部材２２を下降させると、該上半部１４の先端部が貫通孔１１，１０を通過する（図１１）。続いて、打ち抜き部材２２で紙製ステープル９の上半部１４を下半部１５の下面側に完全に引き抜くと、上半部１４は、書類Ｐに対して垂下した状態になる（図１２）。
【００４３】
次に、クリンチャ本体２７が紙製ステープル９の上半部１４側に前進し、一対の湾曲形成部材２８，２９の間に上半部１４が差し込まれる（図１３）。ついで、図１３における右側の湾曲形成部材２９を中心に左側の湾曲形成部材２８を約１８０°だけスリット部２３側に回動させる。すると、上半部１４が湾曲形成部材２９の下側周面に沿って巻き付けられて略Ｕ字状に湾曲し、該湾曲部分の先端部は、紙製ステープル９の下半部１５の掛合孔１９に差し込まれる（図１４）。このとき、図６に示されるように、切込線１７，１７に沿って掛止片１８，１８が切り起こされ、該掛止片１８，１８は貫通孔１１の縁部下面に近接対向する。
【００４４】
この後、クリンチャ本体２７が紙製ステープル９から退避して、一対の湾曲形成部材２８，２９が上半部１４から離反し、代わって押し込み部材３０が上昇する。すると、押し込み部材３０は  上半部１４の略Ｕ字状湾曲部分を押し上げる（図１５）。これにより、掛止片１８，１８が貫通孔１１の縁部下面に沿って同図中の左側へ押し込まれると共に、上半部１４の先端部が掛合孔１９の縁部上面に沿って同図中の右側押し込まれる。
【００４５】
この場合、前記湾曲部分が略平坦状に弾性的に形状復帰するため、上半部１４の先端部、掛止片１８，１８はそれぞれ掛合孔１９の縁部上面、貫通孔１１の縁部下面に適度な押圧力で弾接してクリンチされる。この後、押し込み部材３０を元の位置にリターンさせて、書類Ｐをスリット部２３から離反させる。斯くして、図１６及び図１７に示すように、書類Ｐは安定した良好な状態で確実に綴じられる。
【００４６】
上述の如く、上記紙製ステープル９は、紙製ステープル９の上半部１４、下半部１５を書類Ｐ端部の表面、裏面に対面させ、書類Ｐと下半部１５に上半部１４を打ち込んだあと、上半部１４の湾曲により形成した掛止片１８，１８を貫通孔の縁部に掛止させ、且つ、上半部１４の先端部を掛合孔１９の縁部に掛止させるものである。
【００４７】
したがって、前記上半部１４の先端部、掛止片１８，１８はそれぞれ、下半部１４の掛合孔１９の縁部上面、貫通孔１０の縁部下面に弾接状態で掛止されるので、粘着剤を一切使用することなく、紙製ステープル９で書類Ｐを離脱不能に容易・確実に綴じることができる。又、書類Ｐをリサイクルする際は、書類Ｐから紙製ステープル９を取り外すことなく、シュレッダーにより裁断することができる。更に、粘着剤を使用しないので、必要時に紙製ステープル９を容易に取り外すことができる。
【００４８】
本発明は、本発明の精神を逸脱しない限り種々の改変を為すことができ、そして、本発明が該改変されたものに及ぶことは当然である。
【図面の簡単な説明】
【００４９】
【図１】本発明の一実施例に係る書類綴じ装置の全体構成を示すブロック図。
【図２】本発明に係る縦連結タイプのステープルシートを示す斜視図。
【図３】本発明に係る横連結タイプのステープルシートを示す斜視図。
【図４】本発明に係るミシン目入りの横連結タイプのステープルシートを示す斜視図。
【図５】一実施例に係る紙製ステープルと打ち込み部とクリンチャ部の全体構成を説明する斜視図。
【図６】一実施例に係る紙製ステープルの上半部を湾曲させて掛止片を切り起こした状態を示す斜視図。
【図７】同上紙製ステープルをスリット部に押し込む前の状態を示す断面図。
【図８】同上紙製ステープルをスリット部に押し込んだ状態を示す断面図。
【図９】同上紙製ステープルの下半部及び書類に打ち抜き部材で貫通孔を形成させる状態を示す断面図。
【図１０】同上打ち抜き部材の方形孔に紙製ステープルの上半部を引っ掛けた状態を示す断面図。
【図１１】同上打ち抜き部材で紙製ステープルの上半部を引き抜く途中の状態を示す断面図。
【図１２】同上打ち抜き部材で紙製ステープルの上半部を引き抜いた後の状態を示す断面図。
【図１３】同上紙製ステープルの上半部を湾曲形成部材で挟んだ状態を示す断面図。
【図１４】同上紙製ステープルの上半部を湾曲させる状態を示す断面図。
【図１５】同上紙製ステープルの上半部を押し込む状態を示す断面図。
【図１６】同上紙製ステープルで綴じた書類の表面側を示す斜視図。
【図１７】同上紙製ステープルで綴じた書類の裏面側を示す斜視図。
【符号の説明】
【００５０】
１      書類綴じ装置
２      シート収納部
３      移送部
４      剪断部
５      打ち抜き部
６      クリンチャ部
８      ステープルシート
９      紙製ステープル
１０    貫通孔
１１    貫通孔
１２    細幅部
１３    ミシン目
１４    上半部
１５    下半部
１６    中間部
１７    切込線
１８    掛止片
１９    掛合孔
２０    打ち込み機
２１    ステープルセット部材
２２    打ち抜き部材
２３    スリット部
２４    刃先部
２５    係止孔
２６    クリンチャ装置
２７    クリンチャ本体
２８    一方の湾曲形成部材
２９    他方の湾曲形成部材
３０    押し込み部材
Ｐ      書類
【図１】
2007190751.tif 000003
【図２】
2007190751.tif 000004
【図３】
2007190751.tif 000005
【図４】
2007190751.tif 000006
【図５】
2007190751.tif 000007
【図６】
2007190751.tif 000008
【図７】
2007190751.tif 000009
【図８】
2007190751.tif 000010
【図９】
2007190751.tif 000011
【図１０】
2007190751.tif 000012
【図１１】
2007190751.tif 000013
【図１２】
2007190751.tif 000014
【図１３】
2007190751.tif 000015
【図１４】
2007190751.tif 000016
【図１５】
2007190751.tif 000017
【図１６】
2007190751.tif 000018
【図１７】
2007190751.tif 000019